【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
ａ）少なくとも１種の脂肪族、脂環式、アラリファティックおよび/または芳香族ポリイソシアネート、
ｂ）少なくとも１種のＮＣＯ-反応性化合物、
ｃ）少なくとも１種の熱潜在性無機スズ含有触媒、
ｄ）所望による更なる触媒および/またはｃ）以外の活性剤、
ｅ）所望による充填剤、顔料、添加剤、増粘剤、消泡剤、および/または他の補助物質および添加剤、
から得られるポリイソシアネート重付加生成物であって、
該成分ａ）の重量と該成分ｃ）からのスズの重量の割合は、成分ａ）が脂肪族ポリイソシアネートの場合３０００ｐｐｍ未満であり、成分ａ）が芳香族ポリイソシアネートの場合９５ｐｐｍ未満であり、
式Ｉ、II、またはIIIの環状スズ化合物が熱潜在性触媒として使用されることを特徴とする、該ポリイソシアネート重付加生成物：
【化１】
2013509473.tif 000001
【化２】
2013509473.tif 000002
【化３】
2013509473.tif 000003
式中、
Ｄは、-Ｏ-、-Ｓ-または-Ｎ(Ｒ１)-を表わし、
式中、Ｒ１は、酸素、硫黄、窒素の群からのヘテロ原子を所望により含有できる、２０個以下の炭素原子を有する、飽和または不飽和、直鎖または分岐、脂肪族または脂環式、あるいは所望により置換された、芳香族またはアラリファティック基を示すか、水素または以下の化学式の基を示し、
【化４】
2013509473.tif 000004
あるいは、Ｒ１およびＬ３は相互に-Ｚ-Ｌ５を示し、
Ｄ*は、-Ｏ-または-Ｓ-を示し；
Ｘ、ＹおよびＺは、式-Ｃ(R2)(R3)-、-Ｃ(R2)(R3)-Ｃ-(R4)(R5)-または-Ｃ(R2)(R3)-Ｃ-(R4)(R5)-Ｃ(R6)(R7)-のアルキレン基、または以下の式のオルト-アリーレン基から選択される同一または異なる基を示し：
【化５】
2013509473.tif 000005
式中、Ｒ２〜Ｒ１１は、相互に独立して、酸素、硫黄、窒素の群からのヘテロ原子を所望により含有できる、２０個以下の炭素原子を有する、飽和または不飽和、直鎖または分岐、脂肪族または脂環式、または所望により置換された、芳香族またはアラリファティック基を示すか、あるいは水素を示す；
Ｌ１、Ｌ２およびＬ５は、相互に独立して、-Ｏ-、-Ｓ-、-ＯＣ(=Ｏ)-、-ＯＣ(=Ｓ)、-ＳＣ(=Ｏ)-、-ＳＣ(=Ｓ)-、-ＯＳ(=Ｏ)2Ｏ-、-ＯＳ(=Ｏ)2-または-Ｎ(Ｒ１２)-を示し、
式中、Ｒ１２は、酸素、硫黄、窒素の群からのヘテロ原子を所望により含有できる、２０個以下の炭素原子を有する、飽和または不飽和、直鎖または分岐、脂肪族または脂環式、あるいは所望により置換された、芳香族またはアラリファティック基を示すか、あるいは水素を示す；
Ｌ３およびＬ４は、相互に独立して、-ＯＨ、-ＳＨ、-ＯＲ１３-、Ｈａｌ、-ＯＣ(=Ｏ)Ｒ１４、-ＳＲ１５、-ＯＣ(=Ｓ)Ｒ１６、-ＯＳ(=Ｏ)2ＯＲ１７、-ＯＳ(=Ｏ) 2Ｒ１８、または-ＮＲ１９Ｒ２０を示すか、あるいはＬ３およびＬ４は共に-Ｌ１-Ｘ-Ｄ-Ｙ-Ｌ２-を示す、
式中、Ｒ１３〜Ｒ２０は、相互に独立して、酸素、硫黄、窒素の群からのヘテロ原子を所望により含有できる、２０個以下の炭素原子を有する、飽和または不飽和、直鎖または分岐、脂肪族または脂環式、あるいは所望により置換された、芳香族またはアラリファティック基を示すか、あるいは水素を示す。
【請求項２】
Ｄが-Ｎ（Ｒ１）-であり、Ｒ１が水素、または２０個以下の炭素原子を有するアルキル、アラルキル、アルカリール若しくはアリール基、または以下の式の基である、請求項１に記載のポリイソシアネート重付加生成物。
【化６】
2013509473.tif 000006
【請求項３】
Ｘ、ＹおよびＺが、相互に独立して、式-Ｃ(R2)(R3)-若しくは-Ｃ(R2)(R3)-Ｃ-(R4)(R5)-、または以下の式のオルト-アリーレン基であり、
【化７】
2013509473.tif 000007
および、Ｒ２〜Ｒ５は、相互に独立して、水素、２０個以下の炭素原子を有するアルキル、アラルキル、アルカリール若しくはアリール基であり、Ｒ８〜Ｒ１１は、相互に独立して、水素、または８個以下の炭素原子を有するアルキル基である、
請求項１または２に記載のポリイソシアネート重付加生成物。
【請求項４】
Ｌ１、Ｌ２およびＬ５が、相互に独立して、-Ｎ(Ｒ１２)-、-Ｓ-、-ＳＣ(=Ｓ)-、-ＳＣ(=Ｏ)-、-ＯＣ(=Ｓ)、-Ｏ-、または-ＯＣ(=Ｏ)-であり、
Ｒ１２が、水素または、２０個以下の炭素原子を有するアルキル、アラルキル、アルカリール若しくはアリール基である、
請求項１から３のいずれか１つに記載のポリイソシアネート重付加生成物。
【請求項５】
Ｌ３およびＬ４が、相互に独立して、-ＯＨ、-ＳＨ、-ＯＲ１３、-Ｈａｌ、または-ＯＣ(=Ｏ)Ｒ１４であり、および基Ｒ１３とＲ１４が２０個以下の炭素原子を含有する、請求項１から４のいずれか１つに記載のポリイソシアネート重付加生成物。
【請求項６】
ａ）少なくとも１種の脂肪族、脂環式、アラリファティックおよび/または芳香族ポリイソシアネートを、
ｂ）以下のｃ）〜ｅ）の存在下にて少なくとも１種のＮＣＯ-反応性化合物と反応させる、請求項１に記載のポリイソシアネート重付加生成物の製造方法であって、
ｃ）少なくとも１種の熱潜在性無機スズ含有触媒、
ｄ）所望による更なる触媒および/またはｃ）以外の活性剤、および
ｅ）所望による充填剤、顔料、添加剤、増粘剤、消泡剤、および/または他の補助物質および添加剤、
該成分ａ）の重量と成分ｃ）からのスズの重量の割合は、成分ａ）が脂肪族ポリイソシアネートの場合３０００ｐｐｍ未満であり、成分ａ）が芳香族ポリイソシアネートの場合９５ｐｐｍ未満であり、
式Ｉ、II、またはIIIの環状スズ化合物が熱潜在性触媒として使用されることを特徴とする、該方法：
【化８】
2013509473.tif 000008
【化９】
2013509473.tif 000009
【化１０】
2013509473.tif 000010
式中、
Ｄは、-Ｏ-、-Ｓ-または-Ｎ(Ｒ１)-を表わし、
式中、Ｒ１は、酸素、硫黄、窒素の群からのヘテロ原子を所望により含有できる、２０個以下の炭素原子を有する、飽和または不飽和、直鎖または分岐、脂肪族または脂環式、あるいは所望により置換された、芳香族またはアラリファティック基を示すか、水素、または以下の式の基を示し、
【化１１】
2013509473.tif 000011
あるいは、Ｒ１およびＬ３は相互に-Ｚ-Ｌ５を示し、
Ｄ*は、-Ｏ-または-Ｓ-を示し；
Ｘ、ＹおよびＺは、式-Ｃ(R2)(R3)-、-Ｃ(R2)(R3)-Ｃ-(R4)(R5)-または-Ｃ(R2)(R3)-Ｃ-(R4)(R5)-Ｃ(R6)(R7)-のアルキレン基、または以下の式のオルト-アリーレン基から選択される同一または異なる基を示し：
【化１２】
2013509473.tif 000012
式中、Ｒ２〜Ｒ１１は、相互に独立して、酸素、硫黄、窒素の群からのヘテロ原子を所望により含有できる、２０個以下の炭素原子を有する、飽和または不飽和、直鎖または分岐、脂肪族または脂環式、あるいは所望により置換された、芳香族またはアラリファティック基を示すか、あるいは水素を示す；
Ｌ１、Ｌ２およびＬ５は、相互に独立して、-Ｏ-、-Ｓ-、-ＯＣ(=Ｏ)-、-ＯＣ(=Ｓ)、-ＳＣ(=Ｏ)-、-ＳＣ(=Ｓ)-、-ＯＳ(=Ｏ)2Ｏ-、-ＯＳ(=Ｏ)2-または-Ｎ(Ｒ１２)-を示し、
式中、Ｒ１２は、酸素、硫黄、窒素の群からのヘテロ原子を所望により含有できる、２０個以下の炭素原子を有する、飽和または不飽和、直鎖または分岐、脂肪族または脂環式、あるいは所望により置換された、芳香族またはアラリファティック基を示すか、あるいは水素を示す；
Ｌ３およびＬ４は、相互に独立して、-ＯＨ、-ＳＨ、-ＯＲ１３-、Ｈａｌ、-ＯＣ(=Ｏ)Ｒ１４、-ＳＲ１５、-ＯＣ(=Ｓ)Ｒ１６、-ＯＳ(=Ｏ)2ＯＲ１７、-ＯＳ(=Ｏ) 2Ｒ１８、または-ＮＲ１９Ｒ２０を示すか、あるいはＬ３およびＬ４は共に-Ｌ１-Ｘ-Ｄ-Ｙ-Ｌ２-を示す：
式中、Ｒ１３〜Ｒ２０は、相互に独立して、酸素、硫黄、窒素の群からのヘテロ原子を所望により含有できる、２０個以下の炭素原子を有する、飽和または不飽和、直鎖または分岐、脂肪族または脂環式、あるいは所望により置換された、芳香族またはアラリファティック基を示すか、あるいは水素を示す。
【請求項７】
請求項１から５のいずれか１つに記載のポリイソシアネート重付加生成物を含有するコーティング組成物。